(57)【特許請求の範囲】
【請求項１】
上階床と下階床との間に階段が設けられ、この階段の下方が階段下空間となっている建物において、
下階に、第１部屋と第２部屋とが前記階段下空間を挟んで直線状に並んで設けられ、
前記第１部屋と前記階段下空間とを仕切る壁に第１開口部が設けられ、前記第２部屋と前記階段下空間とを仕切る壁に第２開口部が設けられ、これら第１開口部と第２開口部は対向して設けられており、
前記階段下空間の床または天井には、レールが前記第１開口部と第２開口部との間に直線状に設けられ、物を収容可能な箱体が、このレールを往復移動することで、前記第１開口部と前記第２開口部との間を往復移動可能に設けられていることを特徴とする建物。
【請求項２】
請求項１に記載の建物において、
前記第１部屋は、玄関に隣接して設けられ、かつ当該玄関から行き来可能な部屋であり、
前記第２部屋は、ランドリー機器を備えた部屋であることを特徴とする建物。
【請求項３】
請求項１または２に記載の建物において、
前記階段が途中に踊り場を有する折り返し階段であり、この踊り場の下方に前記箱体が設けられていることを特徴とする建物。
【請求項４】
請求項１〜３のいずれか一項に記載の建物において、
前記階段下空間には、前記箱体の往復移動経路外に、収納スペースが設けられていることを特徴とする建物。
【発明の詳細な説明】
【技術分野】
【０００１】
本発明は、上階床と下階床との間に階段が設けられ、この階段の下方が階段下空間となっている建物に関する。
【背景技術】
【０００２】
上階床と下階床との間に階段が設けられ、この階段の下方が階段下空間となっている建物の一例として特許文献１に記載のものが知られている。
この建物では、階段の踊り場の下に収納空間（階段下空間）を設け、この収納空間にキャスター付収納家具を出入自在に設けている。収納空間への出入口（開口部）は、当該収納空間を形成する壁に設けられており、この出入口から収納空間にキャスター付収納家具が出し入れ自在となっている。
このような建物では、キャスター付収納家具を移動させて、収納空間から外に出すことが可能となるので、比較的長時間かかる作業を行う場合には、収納空間の外で作業をするようにすれば、奥行きが深く、狭いものとなりがちな収納空間の内部において作業をする場合における不便を感じることがなく、使い勝手を良いものとすることができる。
【先行技術文献】
【特許文献】
【０００３】
【特許文献１】特開２０００−１７０３６８号公報
【発明の概要】
【発明が解決しようとする課題】
【０００４】
ところで、前記従来の建物では、キャスター付収納家具を開口部から階段下空間に出し入れできるが、キャスター付収納家具に収納された物を階段下空間を利用して異なる部屋間で受け渡しすることはできず、階段下空間の有効利用が十分ではなかった。
【０００５】
本発明は上記事情に鑑みてなされたもので、階段下空間を利用して異なる部屋間で物を受け渡しすることができる建物を提供することを課題としている。
【課題を解決するための手段】
【０００６】
上記課題を解決するために、請求項１に記載の発明は、例えば図１〜図４に示すように、上階床と下階床との間に階段５が設けられ、この階段５の下方が階段下空間１０となっている建物において、
下階に、第１部屋１１と第２部屋１２とが前記階段下空間１０を挟んで直線状に並んで設けられ、
前記第１部屋１１と前記階段下空間１０とを仕切る壁に第１開口部１４が設けられ、前記第２部屋１２と前記階段下空間１０とを仕切る壁に第２開口部１８が設けられ、これら第１開口部１４と第２開口部１８は対向して設けられており、
前記階段下空間１０の床または天井には、レール２０が前記第１開口部１４と第２開口部１８との間に直線状に設けられ、物を収容可能な箱体２１が、このレール２０を往復移動することで、前記第１開口部１４と前記第２開口部１８との間を往復移動可能に設けられていることを特徴とする。
【０００７】
請求項１に記載の発明によれば、階段下空間１０において、第１開口部１４と第２開口部１８との間で、物が収容された箱体２１を往復移動させることによって、第１開口部１４に面する第１部屋１１と第２開口部１８に面する第２部屋１２との間で物を受け渡しすることができる。
また、階段下空間１０の床または天井に設けられたレール２０を箱体２１が往復移動するので、第１開口部１４と第２開口部１８との間で箱体２１を安定的に往復移動させるこができる。
【０００８】
請求項２に記載の発明は、請求項１に記載の建物において、
前記第１部屋１１は、玄関２に隣接して設けられ、かつ当該玄関２から行き来可能な部屋１１であり、
前記第２部屋１２は、ランドリー機器１５を備えた部屋１２であることを特徴とする。
【０００９】
請求項２に記載の発明によれば、外出先から帰宅した住人等は、玄関２から第１部屋１１に入って、当該第１部屋１１で着替えた衣服を、第１開口部１４から箱体２１に入れ、この箱体２１を第２開口部１８に向けて移動させることができる。
第２部屋１２では、箱体２１から衣服を第２開口部１８を通して取り出し、ランドリー機器１５に入れて、洗濯、乾燥等を行える。
したがって、花粉等の異物が付着した衣服を、建物の居室等に持ち込むことなく、洗濯、乾燥等が行える。
【００１２】
請求項３に記載の発明は、請求項１または２に記載の建物において、
前記階段５が途中に踊り場５ａを有する折り返し階段５であり、この踊り場５ａの下方に前記箱体２１が設けられていることを特徴とする。
【００１３】
請求項３に記載の発明によれば、踊り場５ａの下面が水平となるので、斜め方向に延在する階段の下に設ける場合に比して、大きく、かつ直方体状の箱体２１を使用できる。
【００１４】
請求項４に記載の発明は、請求項１〜３のいずれか一項に記載の建物において、
前記階段下空間１０には、前記箱体２１の往復移動経路外に、収納スペース２２，２３が設けられていることを特徴とする。
【００１５】
請求項４に記載の発明によれば、箱体２１の往復移動経路外に、収納スペース２２，２３が設けられているので、この収納スペース２２，２３に、物を収納し、第１開口部１４および第２開口部１８の双方から取り出すことができる。
【発明の効果】
【００１６】
本発明によれば、階段下空間において、第１開口部と第２開口部との間で、物が収容された箱体を往復移動させることによって、第１開口部に面する第１部屋と第２開口部に面する第２部屋との間で物を受け渡しすることができる。したがって、階段下空間の有効利用を図れる。
【図面の簡単な説明】
【００１７】
【図１】本発明に係る建物の一例を示すもので、一つの住戸の１階の平面図である。
【図２】同、一つの住戸の２階の平面図である。
【図３】同、一つの住戸の縦断面図である。
【図４】同、一つの住戸の階段下空間を示す概略斜視図である。
【図５】同、アパート全体を示すもので、（ａ）は１階の平面図、（ｂ）は２階の平面図である。
【発明を実施するための形態】
【００１８】
以下、図面を参照して本発明の実施の形態について説明する。
本実施の形態の建物は、メゾネット形式のアパートであり、例えば、図５に示すように、３戸の住戸（建物）１・・・で構成されている。これら３戸の住戸１はすべて同じレイアウトになっている。
図１は、前記アパートの一つの住戸の１階の平面図、図２は同、２階の平面図、図３は縦断面図、図４は、階段下空間を示す概略斜視図、図５はアパートの平面図である。
【００１９】
図１に示すように、住戸１の１階の端部には玄関２が設けられ、この玄関２に廊下３が接続されている。廊下３の突き当たりには、寝室４が設けられ、また、廊下３の端部に面して階段５が設けられている。
この階段５は２階床（上階床）と１階床（下階床）との間に設けられ、２階床と１階床とを接続するものである。この階段５は、その途中に踊り場５ａ（図２参照）が設けられた折返し階段５となっている。
【００２０】
図２および図３に示すように、踊り場５ａの上方は２階の天井まで吹き抜ける吹抜け空間６となっており、踊り場５ａの一部は書斎や子育て空間として使用される。また、吹抜け空間６は屋根に設けられた天窓６ａまで延在している。
２階には部屋７、配膳台付きキッチン８、リビング９が設けられており、配膳台付きキッチン８の上方には、小屋裏収納８ａが設けられている。この小屋裏収納８ａを形成する壁には、小屋裏収納８ａを吹抜け空間６に連通させるための孔８ｂが形成されている。
また、部屋７と吹抜け空間６を仕切る壁には、部屋７を吹抜け空間６に連通させるための窓７ａが設けられている。
【００２１】
図１、図３、図４に示すように、階段５の下方は、階段下空間１０となっている。この階段下空間１０は踊り場５ａの下方に存在する第１階段下空間１０ａと、踊り場５ａを除く階段５の下方に存在する第２階段下空間１０ｂとから構成されており、これらは連通している。
前記玄関２に隣接して第１部屋１１が設けられており、前記廊下３の端部に隣接して第２部屋１２が設けられている。これら第１部屋１１と第２部屋１２とは階段下空間１０を挟んで設けられている。
第１部屋１１は、玄関２に隣接して設けられており、当該玄関２の玄関ホール２ａから行き来可能な部屋となっている。すなわち、玄関２と第１部屋１１とを仕切る壁には、戸１３が設けられており、この戸１３を開けて玄関ホール２ａから第１部屋１１に行き来可能となっている。第１部屋１１は収納室としての機能を有しており、当該第１部屋１１には衣類やその他の物を収納する家具や棚が備えられている。
第１部屋１１と前記階段下空間１０とを仕切る壁には、第１開口部１４が設けられており、この第１開口部１４は折戸１４ａによって開閉可能となっている。
【００２２】
前記第２部屋１２は、ランドリー機器１５を備えた部屋であり、本実施の形態では、洗面室１２を構成している。ランドリー機器１５としては、洗濯機、乾燥機等が挙げられる。この洗面室１２に隣接して、当該洗面室１２から出入り可能な浴室１６が設けられ、この浴室１６に隣接してトイレ１７が設けられている。
第２部屋（洗面室）１２と前記階段下空間１０とを仕切る壁には、第２開口部１８が設けられており、この第２開口部１８は折戸１８ａによって開閉可能となっている。また、第２開口部１８は前記第１開口部１４と対向して設けられている。
【００２３】
前記階段下空間１０の床には、レール２０，２０が設けられている。すなわち、階段下空間１０の第１階段下空間１０ａの床には、レール２０，２０が第１開口部１４と第２開口部１８との間において直線状に設けられている。
一方、第１階段下空間１０ａには、上面が開口した直方体状の箱体２１が設けられている。この箱体２１の下面四隅部には、それぞれ車輪２１ａが取り付けられており、これら車輪２１ａが前記レール２０，２０を往復動するようになっている。例えば、レール２０，２０には、車輪２１ａが移動可能にはまり込む凹溝が形成されており、この凹溝内を車輪２１ａが転動することによって、箱体２１がレール２０，２０上を往復動するようになっている。なお、凹溝の底面は第１部屋１１および第２部屋１２の床面とほぼ等しい高さとなっている。
【００２４】
また、前記車輪２１ａはその向きを変更可能なキャスター状となっており、車輪２１ａはレール２０，２０から離れて、第１部屋１１または第２部屋１２に移動可能となっている。したがって、箱体２１は、階段下空間１０から第１部屋１１および第２部屋１２に移動して、これらの床面上では自由に移動可能となっている。
また、箱体２１の高さは、第１開口部１４および第２開口部１８の上縁部より低くなっている。したがって、箱体２１を第１開口部１４または第２開口部１８側に寄せた場合に、箱体２１の上端と第１開口部１４および第２開口部１８の上縁部との間から衣服等の物を箱体２１に収容できるようになっている。
さらに、箱体２１の幅は、第１開口部１４および第２開口部１８の左右の開口幅とほぼ等しいか若干小さめに設定されており、これによって、箱体２１は第１開口部１４または第２開口部１８を通って第１部屋１１または第２部屋１２に移動可能となっている。
【００２５】
また、階段下空間１０には、箱体２１の往復移動経路外に、収納スペース２２，２３が設けられている。すなわち、階段下空間１０の第１階段下空間１０ａには、前記レール２０，２０の外側に収納スペース２２が設けられ、前記第２階段下空間１０ｂに収納スペース２３が設けられている。これら収納スペース２２，３４には、収納家具や棚を備えてもよい。収納スペース２２に物を収納したり、収納スペース２２から物を取り出す場合、例えば箱体２１を第１開口部１４または第２開口部１８側に寄せたうえで、第２開口部１８または第１開口部１４から物を出し入れすればよい。また、収納スペース２３に物を収納したり、収納スペース２３から物を取り出す場合、例えば箱体２１を第１開口部１４側に寄せたうえで、第２開口部１８から物を出し入れすればよい。また、箱体２１を階段下空間１０から第１部屋１１または第２部屋１２に移動させたうえで、第１開口部１４または第２開口部１８から物を出し入れしてもよい。
【００２６】
本実施の形態によれば、階段下空間１０において、第１開口部１４と第２開口部１８との間で、物が収容された箱体２１を往復移動させることによって、第１開口部１４に面する第１部屋１１と第２開口部１８に面する第２部屋１２との間で物を受け渡しすることができる。したがって、階段下空間の有効利用を図れる。
また、外出先から帰宅した住人等は、玄関２から第１部屋１１に入って、当該第１部屋１１で着替えた衣服を、第１開口部１４から箱体２１に入れ、この箱体２１を第２開口部１８に向けて移動させることができる。
第２部屋１２では、箱体２１から衣服を第２開口部１８を通して取り出し、ランドリー機器１５に入れて、洗濯、乾燥等を行える。
したがって、花粉等の異物が付着した衣服を、建物の居室等に持ち込むことなく、洗濯、乾燥等が行える。
【００２７】
さらに、階段下空間１０の床に、レール２０，２０が第１開口部１４と第２開口部１８との間に設けられ、このレール２０，２０を箱体２１が往復移動するので、第１開口部１４と第２開口部１８との間で箱体を安定的に直線上で往復移動させるこができる。
また、階段５の踊り場５ａの下方に箱体２１が設けられており、踊り場５ａの下面が水平となるので、斜め方向に延在する階段５の下に設ける場合に比して、大きく、かつ直方体状の箱体２１を使用できる。
また、階段下空間１０において、箱体２１の往復移動経路外に、収納スペース２２，２３が設けられているので、この収納スペース２２，２３に、物を収納し、第１開口部１４および第２開口部１８の双方から取り出すことができる。
【００２８】
なお、本実施の形態では、階段下空間１０の床に、レール２０，２０を設けたが、これに代えて、階段下空間１０の天井にレールを設けてもよい。この場合、箱体２１の上部に当該レールを転動するローラを設ければよい。
また、本実施の形態では、本発明をアパートに適用した場合を例にとって説明したが、本発明は戸建ての住宅にも適用できる。
【符号の説明】
【００２９】
１  住戸（建物）
２  玄関
５  階段
５ａ  踊り場
１０  階段下空間
１１  第１部屋
１２  第２部屋
１４  第１開口部
１５  ランドリー機器
１８  第２開口部
２０  レール
２１  箱体
２２，２３  収納スペース
【図１】
0005705620.tif 000002
【図２】
0005705620.tif 000003
【図３】
0005705620.tif 000004
【図４】
0005705620.tif 000005
【図５】
0005705620.tif 000006